(57)【特許請求の範囲】
【請求項１】
燃料電池用加湿ユニットであって、
前記燃料電池と連通し、複数の第一溝を形成し、空気が前記第一溝を経て前記燃料電池に流れるようにする第一導気板と、
前記燃料電池と連通し、複数の第二溝を形成し、前記燃料電池からの気体が前記第二溝を経て、前記加湿ユニットの外部に流れるようにし、前記第二溝が前記第一導気板の前記第一溝に面するように設置された第二導気板と、
前記第一導気板と前記第二導気板間に設置され、第一溝中で流動する気体及び第二溝中で流動する気体を隔離し、第二溝中で流動する気体中の水分を第一溝に送るのに用いられる中間層とからなり、
前記第一導気板は、前記第一溝の延伸方向にそれぞれ、第一開口、及び第二開口を形成し、前記第二導気板は、それぞれ、前記第一開口と前記第二開口とに対応する第三開口と第四開口とを形成し、これにより、空気が前記第一開口と第三開口により前記第一溝に進入し、前記第二開口と前記第四開口から前記加湿ユニットを離れることを特徴とするユニット。
【請求項２】
前記中間層は、
前記第二溝中を流動する気体中の水分を、前記第一溝に通過させる透水層と、
前記透水層が面する前記第二導気板表面に設置し、前記第二溝中を流動する気体中の水分を吸収する第一吸収層と、
からなることを特徴とする請求項１に記載のユニット。
【請求項３】
前記第一吸収層は、親水性の材質からなることを特徴とする請求項２に記載のユニット。
【請求項４】
前記第一溝と前記第二溝間は、互いに交差するように設置されることを特徴とする請求項１に記載のユニット。
【請求項５】
燃料電池用加湿ユニットであって、
前記燃料電池と連通し、複数の第一溝を形成し、空気が前記第一溝を経て前記燃料電池に流れるようにする第一導気板と、
前記燃料電池と連通し、複数の第二溝を形成し、前記燃料電池からの気体が前記第二溝を経て、前記加湿ユニットの外部に流れるようにし、前記第二溝が前記第一導気板の前記第一溝に面するように設置された第二導気板と、
前記第一導気板と前記第二導気板間に設置され、第一溝中で流動する気体及び第二溝中で流動する気体を隔離し、第二溝中で流動する気体中の水分を第一溝に送るのに用いられる中間層とからなり、
前記第二導気板は、前記第二溝の延伸方向にそれぞれ、第五開口を形成し、前記第一導気板は前記第五開口と対応する第六開口を形成し、これにより、前記燃料電池からの気体は、前記第五開口と前記第六開口から、前記第二溝に進入することを特徴とするユニット。
【請求項６】
前記第一導気板は、前記第六開口の相対する側で、第七開口を形成し、これにより、前記第二溝で流動する気体が前記第七開口から前記加湿ユニットを離れることを特徴とする請求項５に記載のユニット。
【請求項７】
燃料電池用加湿ユニットであって、
前記燃料電池と連通し、複数の第一溝を形成し、空気が前記第一溝を経て前記燃料電池に流れるようにする第一導気板と、
前記燃料電池と連通し、複数の第二溝を形成し、前記燃料電池からの気体が前記第二溝を経て、前記加湿ユニットの外部に流れるようにし、前記第二溝が前記第一導気板の前記第一溝に面するように設置された第二導気板と、
前記第一導気板と前記第二導気板間に設置され、第一溝中で流動する気体及び第二溝中で流動する気体を隔離し、第二溝中で流動する気体中の水分を第一溝に送るのに用いられる中間層と、
前記第一導気板と前記第二導気板間に設置され、前記第一導気板に面する側に複数の第三溝を形成し、前記第二導気板に面する側に複数の第四溝を形成する拡張板とを備えることを特徴とするユニット。
【請求項８】
前記第三溝と前記第四溝間、前記第三溝と前記第一溝間、前記第四溝と前記第二溝間はそれぞれ、互いに交差するように設置されることを特徴とする請求項７に記載のユニット。
【請求項９】
前記拡張板は前記第三溝の延伸方向にそれぞれ、第八開口、第九開口を形成し、前記第四溝の延伸方向にそれぞれ、第十開口、第十一開口を形成することを特徴とする請求項７に記載のユニット。
【請求項１０】
燃料電池用加湿モジュールであって、前記燃料電池とそれぞれ連通する複数の加湿ユニットからなり、
前記燃料電池と連通し、その上に複数の第一溝を形成し、空気が前記第一溝を経て前記燃料電池に流れるようにする第一導気板と、
前記燃料電池と連通し、複数の第二溝を形成し、前記燃料電池からの気体が前記第二溝を経て、前記加湿ユニットの外部に流れるようにし、前記第二溝が前記第一導気板の前記第一溝に面するように設置された第二導気板と、
前記第一導気板と前記第二導気板間に設置され、第一導気板と第二導気板間に設置され、第一溝中で流動する気体及び第二溝中で流動する気体を隔離し、第二溝中で流動する気体中の水分を第一溝に送るのに用いられる中間層と、
前記第一導気板と前記第二導気板間に設置され、前記第一導気板に面する側に複数の第三溝を形成し、前記第二導気板に面する側に複数の第四溝を形成する拡張板とを備えることを特徴とする加湿モジュール。
【請求項１１】
前記中間層は、
前記第二溝中を流動する気体中の水分を、前記第一溝に通過させる透水層と、
前記透水層が面する前記第二導気板表面に設置し、前記第二溝中を流動する気体中の水分を吸収する第一吸収層と、
前記透水層が面する前記第一導気板表面に設置され、前記透水層を通過する水分を吸収する第二吸水層と、
からなることを特徴とする請求項１０に記載の加湿モジュール。
【発明の詳細な説明】
【０００１】
【発明の属する技術分野】
本発明は、燃料電池用の加湿モジュールとそのユニットに関するもので、特に、燃料電池内の湿度を確保する燃料電池用加湿モジュール及びそのユニットに関するものである。
【０００２】
【従来の技術】
近来の空気汚染は非常に深刻で、大部分は、ガソリンエンジンからの排ガスによるものである。よって、ガソリンエンジン（gasoline  engine）による汚染は軽視してはならぬ問題であり、更によい環境品質を追求するため、汚染を伴わない燃料電池（fuel  cell）により、汚染度が高いガソリンエンジンを代替することが重要な課題である。
【０００３】
燃料電池は主に、水素と酸素を化学反応させて水を生成し、エネルギーを放出する。陽極、陰極、電解質及び外部回路からなり、水素は陽極に、酸素（或いは空気）は陰極に入る。陽極の水素イオンは電解質を通過して陰極に達し、陽極の電子は外部回路を通過して陰極に達し、陰極で水素が反応して水を生成し、エネルギーを放出する。
【０００４】
現在、燃料電池は、アルカリ燃料電池、燐酸型燃料電池、固体酸化物燃料電池、溶融炭酸塩型燃料電池、プロトン交換膜型燃料電池、等があり、各燃料電池はそれぞれ、長短所があるが、本発明はプロトン交換膜型燃料電池に改良を加えたものなので、以下では、プロトン交換膜型燃料電池により説明する。
【０００５】
プロトン交換膜燃料電池のプロトン交換膜（電解質とする）において、液体の水がなければプロトン（水素イオン）を伝送することができない。又、低温で乾燥した空気が、高温の燃料電池に進入する時、湿度差が大きく、イオン交換膜中の水分が大量に蒸発して水分が失われ、スムーズにプロトンを伝送することが出来なくなる。
【０００６】
公知のイオン交換膜燃料電池において、通常は、燃料外部に設置された空気加湿装置を使用し、別途の動力により装置を起動させるが、これは、システムが複雑化、体積と重量が増加する。
【０００７】
【発明が解決しようとする課題】
本発明は、燃料電池用の加湿モジュールとそのユニットを提供し、燃料電池内の湿度を確保することを目的とする。
【０００８】
【課題を解決するための手段】
上述の目的を達成するため、本発明は、第一導気板、第二導気板、及び中間層からなる燃料電池用の加湿ユニットを提供する。第一導気板は燃料電池と連通し、複数の第一溝がその上に形成されて、空気が第一溝を経て燃料電池に流れさせるのに用いられる。第二導気板は燃料電池と連通し、複数の第二溝がその上に形成されて、燃料電池からの気体が第二層を経て、加湿ユニットの外部に流れさせるのに用いられる。第二導気板は、第二溝が第一導気板の第一溝に面するように設置される。中間層は、第一導気板と第二導気板間に設置され、第一溝中を流動する気体及び第二溝中を流動する気体を隔離し、第二溝中を流動する気体中の水分を第一溝に送るのに用いられる。第一導気板は、第一溝の延伸方向にそれぞれ、第一開口、及び第二開口を形成し、第二導気板は、第一開口と第二開口に対応する第三開口、第四開口をそれぞれ形成し、これにより、空気は、第一開口と第三開口により第一溝に進入し、第二開口と第四開口から加湿ユニットを離れる。
【０００９】
好ましい実施例において、中間層は透水層と第一吸水層を備え、透水層は、第二溝中を流動する気体中の水分が第一溝を通過するようにさせるのに用いられ、第一吸水層は、透水層が面する第二導気板の表面に設置されて、第二溝中を流動する気体中の水分を吸収するのに用いられる。
【００１０】
又、第一吸水層は透水層上に接着され、親水性の材質からなり、透水層は透水で、非通気の材質からなる。もう一つの好ましい実施例において、中間層は、透水層が面する第一導気板の表面上に設置された第二吸水層を備え、透水層を通過した水分を吸収するのに用いられる。
【００１１】
又、第二吸水層は、透水層上に接着され、親水性の材料からなる。
もう一つの好ましい実施例において、中間層は第一導気板と第二導気板上に接着される。
【００１２】
もう一つの好ましい実施例において、第一溝と第二溝間は交差するように設置される。
【００１４】
また、本発明は、第一導気板、第二導気板、及び中間層からなる燃料電池用の加湿ユニットを提供する。第一導気板は燃料電池と連通し、複数の第一溝がその上に形成されて、空気が第一溝を経て燃料電池に流れさせるのに用いられる。第二導気板は燃料電池と連通し、複数の第二溝がその上に形成されて、燃料電池からの気体が第二層を経て、加湿ユニットの外部に流れさせるのに用いられる。第二導気板は、第二溝が第一導気板の第一溝に面するように設置される。中間層は、第一導気板と第二導気板間に設置され、第一溝中を流動する気体及び第二溝中を流動する気体を隔離し、第二溝中を流動する気体中の水分を第一溝に送るのに用いられる。また、第二導気板は第二溝の延伸方向に、それぞれ、第五開口を形成し、第一導気板は第五開口に対応する第六開口を形成しているので、これにより、燃料電池からの気体は、第五開口と第六開口から、第二溝に進入する。
【００１５】
又、第一導気板は、第六開口が相対する側に第七開口を形成しているので、これにより、第二溝で流動する気体は、第七開口から加湿ユニットを離れる。
もう一つの好ましい実施例において、燃料電池用加湿ユニットは、更に、第一導気板と第二導気板間に設置された拡張板を備え、第一導気板に面する側で、複数の第三溝を形成し、第二導気板に面する側で、複数の第四溝を形成する。
【００１６】
又、本発明において、第三溝と第四溝間、第三溝と第一溝間、第四溝と第二溝間は、それぞれ、互いに交差するように設置されている。又、拡張板は第三溝の延伸方向に、第八開口と第九開口をそれぞれ形成し、第四溝の延伸方向に、第十開口と第十一開口をそれぞれ形成する。
【００１７】
又、本発明において、燃料電池用の加湿モジュールを提供し、燃料電池とそれぞれ連通する複数の加湿ユニットを備え、加湿ユニットは、第一導気板、第二導気板、中間層及び拡張板を備える。第一導気板と燃料電池は連通し、その上に複数の第一溝を形成し、空気が第一溝を経て燃料電池に流れるようにする。第二導気溝は燃料電池と連通し、その上に複数の第二溝を形成し、燃料電池からの気体が第二溝を経て加湿ユニットの外部に流れるようにし、第二導気板は第二溝が第一導気板の第一溝に面するように設置されている。中間層は、第一導気板と第二導気板間に設置され、第一溝中で流動する気体及び第二溝中で流動する気体を隔離し、第二溝中で流動する気体中の水分を第一溝に送るのに用いられる。拡張板では、第一導気板と第二導気板間に設置され、第一導気板に面する側に複数の第三溝を形成し、第二導気板に面する側に複数の第四溝を形成する。
【００１８】
又、本発明は、燃料電池用の加湿ユニットを提供し、加湿流体供給源と連通し、第三導気板、第四導気板、及び中間層を備え、第三導気板と燃料電池は連通し、複数の第五溝を形成し、空気が第五溝を経て燃料電池に流れるようにする。第四導気板と加湿流体供給源は連通し、その上に複数の第六溝を形成し、加湿流体供給源からの流体が第六溝を経て加湿ユニット外部に流れるようにし、第四導気板は第六溝が第三導気板の第五溝に面するように設置され、中間層は、第三導気板と第四導気板間に設置され、第五溝中で流動する気体及び第六溝中で流動する流体を隔離し、第六溝中で流動する流体中の水分を第五溝に送るのに用いられる。
【００１９】
好ましい実施例において、第四導気板と第六導気板の延伸方向に、それぞれ第五開口と第十二開口を形成し、第三導気板は、第五開口と第十二開口とそれぞれ対応する第六開口と第十三開口を形成する。これにより、加湿流体供給源からの流体は、第五開口と第六開口から第六溝に進入し、第十二開口と第十三開口から加湿ユニットを離れる。
【００２０】
又、本発明は、燃料電池用の加湿モジュールを提供し、加湿流体供給源と連通し、燃料電池と加湿流体供給源とそれぞれ連通する複数個の加湿ユニットを備え、加湿ユニットはそれぞれ、第三導気板、第四導気板、及び中間層を備える。第三導気板と燃料電池は連通し、その上に複数個の第五溝を形成し、空気が第五溝を経て燃料電池に流れるようにする。第四導気板と加湿流体供給源は連通し、その上に、複数の第六溝を形成し、加湿流体供給源からの流体が第六溝を経て加湿ユニットの外部に流れるようにし、第四導気板は第六層が第三導気板の第五溝に面するように設置され、中間層は、第三導気板と第四導気板間に設置されて、第五溝中で流動する気体及び第六溝中で流動する流体を隔離し、第六溝中で流動する流体中の水分を第五溝に送るのに用いられる。
【００２１】
【発明の実施の形態】
上述した本発明の目的、特徴、及び長所をいっそう明瞭にするため、以下に本発明の好ましい実施の形態を挙げ、図を参照にしながらさらに詳しく説明する。
【００２２】
第一実施例：
図１、図２、図３、図４、図５、図６、図７、図８は、本発明の燃料電池用加湿ユニットの第一実施例を示す図であって、燃料電池用加湿ユニット１００は、燃料電池に進入する空気に対し加湿するのに用いられ、第一導気板１０、第二導気板２０、中間層３０、からなる。
【００２３】
第一導気板１０は、図６で示される燃料電池５と連通し、図２及び図３で示されるように、その表面上に複数の第一溝１１を形成し、その周囲にそれぞれ、二つの第一開口１２、二つの第二開口１３、二つの第六開口１４、第七開口１５を形成し、加湿ユニット１００外界に位置する燃料電池用の乾燥した反応空気が進入し、第一導気板１０上の第一溝１１を経て燃料電池５に流れ、第一開口１２、第二開口１３は、第一溝１１の延伸方向に形成される。
【００２４】
第二導気板２０は、図６で示される燃料電池５と連通し、図４、図５で示されるように、表面上に複数個の第二溝２１を形成し、その三つの周辺にそれぞれ、二つの第三開口２２、二つの第四開口２３、及び二つの第五開口２４を形成し、燃料電池５からの水気を含む反応空気は、第二導気板２０上の第二溝２１を経て燃料電池用加湿ユニット１００の外部に流れ、第三開口２２、第四開口２３はそれぞれ、第一導気板１０上の第一開口１２、第二開口１３と対応し、第五開口２４は第二溝２１の延伸方向に形成されると共に、第一導気板１０上の第六開口１４と対応している。
【００２５】
又、図１を参照すると、燃料電池用加湿ユニット１００中、第二導気板２０は第二溝２１が第一導気板１０の第一溝１１に面するように設置され、第一溝１１と第二溝２１間は互いに交差するように設置されている。
【００２６】
第一導気板１０と第二導気板２０の上述のような構成から、図６を参照して分かるように、燃料電池用の乾燥した反応空気は、第一開口１２と第三開口２２から第一溝１１に進入し、その後、第二開口１３と第四開口２３から燃料電池用加湿ユニット１００を離れて燃料電池５に流れ、燃料電池５からの水気を含んだ反応気体が排気され、第五開口２４と第六開口１４から第二溝２１に進入して、直接、第一導気板１０を離れて空気環境に進入する。
【００２７】
図１で示されるように、中間層３０は、第一導気板１０と第二導気板２０間に設置され、透水層３１、第一吸水層３２、及び第二吸水層３３、を備え、透水層３１は中間層３０の基板で、透水、非通気の材料からなり、第一溝１１中を流動する気体、及び第二溝２１中を流動する気体を隔離し、第二溝２１中を流動する気体中の水分を第一溝１１に送るのに用いられる。
【００２８】
第一吸水層３２は、透水層３１が面する第二導気板２０表面に設置され、親水性の材質からなり、第二溝２１中を流動する気体中の水分を吸収する。第二吸水層３３は透水層３１が面する第一導気板１０表面に設置され、親水性の材質からなり、透水層３１を通過する水分を吸収する。
【００２９】
又、第一吸水層３２と第二吸水層３３はそれぞれ、透水層３１に接着されて中間層３０を形成し、透水層３１は周囲に、二つの第一粘着部３１１及び二つの第二粘着部３１２を備え、第一粘着部３１１、第二粘着部３１２により、中間層３０が第一導気板１０と第二導気板２０上で接着される。注意すべきことは、第一粘着部３１１、第二粘着部３１２は透水層３１上の位置で、第一導気板１０と第二導気板２０が組み合わされた後、第一溝１１、第二溝２１での流動を妨げてはならない。
【００３０】
本実施例の燃料電池用加湿ユニット１００の構成は上述のようであり、以下では、燃料電池中に応用される使用状況を説明する。
【００３１】
上述のように、外気は送風機（図示しない）により、第一開口１２と第三開口２２から燃料電池用加湿ユニット１００の第一溝１１に進入し、その後、第二開口１３と第四開口２３から燃料電池用加湿ユニット１００を離れて燃料電池５の陰極に流れる。気体が燃料電池５の陰極側を通過した後、第五開口２４と第六開口１４から再度燃料電池用加湿ユニット１００の第二溝２１中に進入し、直接、燃料電池用加湿ユニット１００を離れて空気に排出される。注意すべきことは、外気が燃料電池５の陰極側を通過した後、その湿度と温度は上昇することである。
【００３２】
上述のような過程により、外気は燃料電池５に進入する前、燃料電池用加湿ユニット１００の第一溝１１中で、中間層３０により第二溝２１中を流動する高湿度の気体の水分を吸収し、加湿の効果を達成する。
【００３３】
よって、低温で乾燥した空気が高温の燃料電池に進入する前、本発明の燃料電池用加湿ユニット１００により加湿されるため、燃料電池内のプロトン交換膜の湿度は差異が最小化され、プロトン交換膜中の水分が大量に蒸発するのを防止し、スムーズにプロトンを伝導させて燃料電池の効率を確保することが出来る。
【００３４】
この他、本発明の加湿ユニットは、外気に対し加湿する効果以外に、温度を上昇させる効果も備えさせ、燃料電池の効率を上昇する。
【００３５】
理解しておくべきことは、実際の使用時、必要に応じて、図９で示されるように、数個の燃料電池用加湿ユニット１００を燃料電池用加湿モジュールに合成し、これにより、燃料電池に送りたい空気の流量を増加させることが出来る。
【００３６】
第二実施例：
図１０、図１１、図１２は、本発明の燃料電池用加湿ユニットの第二実施例を示す図であって、燃料電池用加湿ユニット２００は、第一導気板１０、第二導気板２０、中間層３０、拡張板４０、からなる。注意すべきことは、本実施例において、第一導気板１０、第二導気板２０、中間層３０は、第一実施例と同じであり、同じ符号で示されている。
【００３７】
図１０で示されるように、拡張板４０は第一導気板１０と第二導気板２０間に設置され、第一導気板１０との間に中間層３０を設け、第二導気板２０との間にも中間層３０を設けている。拡張板４０は第一導気板１０に面する側に複数の第三溝４１を形成し、第二導気板２０に面する側に複数の第四溝４２を形成し、第三溝４１と第四溝４２間、第三溝４１と第一溝１１間、第四溝４２と第二溝２１間は、それぞれ互いに交差するように設置されている。
【００３８】
図１１、図１２で示されるように、拡張板４０は第三溝４１の延伸方向にそれぞれ、二つの第八開口４３及び二つの第九開口４４を形成し、第四溝４２の延伸方向にそれぞれ、二つの第十開口４５及び二つの第十一開口４６を形成する。
【００３９】
上述の構成により、外気は送風機（図示しない）により、第一開口１２、第三開口２２、第十開口４５から燃料電池用加湿ユニット２００の第一溝１１、第四溝４２に進入し、その後、第二開口１３と第四開口２３、第十一開口４６から燃料電池用加湿ユニット２００を離れ、燃料電池５の陰極に流れる。気体は燃料電池５の陰極側を通過した後、第五開口２４と第六開口１４、第八開口４３から再度燃料電池用加湿ユニット２００の第二溝２１、第三溝４１に進入し、その後第七開口１５、第九開口４４から加湿ユニット２００を離れる。
【００４０】
これにより、本実施例の燃料電池用加湿ユニット２００は、第一実施例の燃料電池用加湿ユニット１００が達成できる効果以外に、更に、拡張性も有し、使用が更に便利である。
【００４１】
理解しておくべきことは、実際の使用時、二つの導気板間に一つ以上の拡張板が設置出来ることである。
【００４２】
又、本実施例の燃料電池用加湿ユニット２００も、第一実施例のように、数個が組み合わされて加湿モジュールを形成することが出来る。
【００４３】
第三実施例：
図１３、図１４、図１５、図１６、図１７は、本発明の燃料電池用加湿ユニットの第三実施例を示す図で、燃料電池用加湿ユニット３００は、第三導気板５０、第四導気板６０、中間層３０、からなる。注意すべきことは、中間層３０は、第一実施例と同じであり、同じ符号で示されている。
【００４４】
第三導気板５０は図１７で示される燃料電池５と連通し、図１４、図１５で示されるように、表面上に複数の第五溝５１を形成し、その周囲にそれぞれ、二つの第一開口５２、二つの第二開口５３、二つの第六開口５４、及び二つの第十三開口５５を形成し、燃料電池用加湿ユニット３００外界の空気は、第三導気板５０上の第五溝５１を経て、燃料電池５に流れ、第一開口５２、第二開口５３は第五溝５１の延伸方向に形成されている。
【００４５】
第四導気板６０は図１７で示される加湿流体供給源６と連通し、図１５、図１６で示されるように、その表面上に複数の第六溝６１を形成し、周囲にそれぞれ、二つの第三開口６２、二つの第四開口６３、二つの第五開口６４、二つの第十二開口６５を形成し、加湿流体供給源６からの流体は第四導気板６０上の第六溝６１を経て、燃料電池用加湿ユニット３００の外部に流れ、第三開口６２、第四開口６３はそれぞれ、第三導気板５０上の第一開口５２、第二開口５３に対応し、第五開口６４、第十二開口６５は第六溝６１の延伸方向に形成され、第三導気板５０上の第六開口５４、第十三開口５５と対応している。
【００４６】
上述の構成により、外気は送風機（図示しない）により、第一開口５２、第三開口６２から燃料電池用加湿ユニット３００の第五溝５１に進入し、その後、第二開口５３と第四開口６３から燃料電池用加湿ユニット３００を離れて、燃料電池５の陰極に流れる。加湿流体供給源６からの流体は、第五開口６４と第六開口５４から燃料電池用加湿ユニット３００の第六溝６１に進入し、その後、第十二開口６５、第十三開口５５から燃料電池用加湿ユニット３００を離れる。
【００４７】
本実施例が第一実施例と異なる点は、第一実施例は燃料電池を通過する気体により、燃料電池に進入する前の外気に加湿するもので、本実施例は加湿流体供給源により、燃料電池に進入する前の外気に加湿するものである。よって、加湿流体の選択性が広がり、例えば、液体を利用することも出来る。また、湿度や温度等、確実に加湿流体の性質を把握することが出来、加湿効果が確保できる。しかし、別途に加湿流体供給源を増設する必要があり、占める空間は第一実施例のより大きい。
【００４８】
又、本実施例の第三導気板と第四導気板は、それぞれ、第一実施例中の第一導気板と第二導気板により代替することが出来る。
【００４９】
又、本実施例の燃料電池用加湿ユニット３００も第一実施例と同じで、図１８で示されるように、数個を組み合わせて加湿モジュールを形成する。
【００５０】
又、本実施例の燃料電池用加湿ユニット３００も第二実施例と同じで、拡張板を増設し、便利性を増す。
【００５１】
本発明では好ましい実施例を前述の通り開示したが、これらは決して本発明に限定するものではなく、当該技術を熟知する者なら誰でも、本発明の精神と領域を脱しない範囲内で各種の変動や潤色を加えることができ、従って本発明の保護範囲は、特許請求の範囲で指定した内容を基準とする。
【図面の簡単な説明】
【図１】  本発明の燃料電池用加湿ユニットの第一実施例の分解図である。
【図２】  図１中の第一導気板の前視図である。
【図３】  図１中の第一導気板の後視図である。
【図４】  図１中の第二導気板の前視図である。
【図５】  図１中の第二導気板の後視図である。
【図６】  本発明の燃料電池用加湿ユニットの第一実施例の組立図である。
【図７】  図６中のｂ−ｂに沿った断面図である。
【図８】  図６中のｃ−ｃに沿った断面図である。
【図９】  本発明の燃料電池用加湿モジュールの第一実施例を示す図である。
【図１０】  本発明の燃料電池用加湿モジュールの第二実施例を示す図である。
【図１１】  図１０中の拡張板の前視図である。
【図１２】  図１０中の拡張板の後視図である。
【図１３】  本発明の燃料電池用加湿モジュールの第三実施例の分解図である。
【図１４】  図１３中の第三導気板の前視図である。
【図１５】  図１３中の第三導気板の後視図である。
【図１６】  図１３中の第四導気板の前視図である。
【図１７】  図１３中の第三導気板の後視図である。
【図１８】  本発明の燃料電池用加湿モジュールの第三実施例を示す図である。
【符号の説明】
１、２、３  燃料電池用加湿モジュール、５  燃料電池、６  加湿流体供給源、１０  第一導気板、１１  第一溝、１２  第一開口、１３  第二開口、１４  第六開口、１５  第七開口、２０  第二導気板、２１  第二溝、２２  第三開口、２３  第四開口、２４  第五開口、３０  中間層、３１  透水層、３１１  第一粘着部、３１２  第二粘着部、３２  第一吸水層、３３  第二吸水層、４０  拡張板、４１  第三溝、４２  第四溝、４３  第八開口、４４  第九開口、４５第十開口、４６  第十一開口、５０  第三導気板、５１  第五溝、５２  第一開口、５３  第二開口、５４  第六開口、５５  第十三開口、６０  第四導気板、６１  第六溝、６２  第三開口、６３  第四開口、６４  第五開口、６５  第十二開口、１００、２００、３００  燃料電池用加湿ユニット。
【図１】
0003665642.tif 000002
【図２】
0003665642.tif 000003
【図３】
0003665642.tif 000004
【図４】
0003665642.tif 000005
【図５】
0003665642.tif 000006
【図６】
0003665642.tif 000007
【図７】
0003665642.tif 000008
【図８】
0003665642.tif 000009
【図９】
0003665642.tif 000010
【図１０】
0003665642.tif 000011
【図１１】
0003665642.tif 000012
【図１２】
0003665642.tif 000013
【図１３】
0003665642.tif 000014
【図１４】
0003665642.tif 000015
【図１５】
0003665642.tif 000016
【図１６】
0003665642.tif 000017
【図１７】
0003665642.tif 000018
【図１８】
0003665642.tif 000019